(57)【特許請求の範囲】
【請求項１】
光を発生させ、放出する光ボックスと、
デジタルマイクロミラーデバイスを有した、ネガフィルムの生フィルムに映画及びサブタイトルをプリントするプリントヘッドであって、前記デジタルマイクロミラーデバイスは、前記光ボックスから放出される光を受けて該光を選択的に操作するように構成され、且つ前記操作された光を当該プリントヘッドのフィルムプリント開口部を通して前記ネガフィルムの生フィルム上へと反射するように構成される、プリントヘッドと、
前記デジタルマイクロミラーデバイスが、フルフレーム画像データ、サブタイトルデータ及びサウンドデータを担持する入力信号に応答して、フルフレーム画像、サブタイトル及びサウンド情報を含むよう前記光ボックスから放出された光を操作するように、前記デジタルマイクロミラーデバイスを駆動するディスプレイコントローラと、
を含むフィルムプリントシステム。
【請求項２】
前記光ボックスと前記デジタルマイクロミラーデバイスとの間に光学的に配置され、前記デジタルマイクロミラーデバイスと前記フィルムプリント開口部との間に光学的に配置されるＴＩＲレンズ、
をさらに含む請求項１記載のフィルムプリントシステム。
【請求項３】
前記ＴＩＲレンズと前記フィルムプリント開口部との間に光学的に配置されたテレセントリック光学系、
をさらに含む請求項２記載のフィルムプリントシステム。
【請求項４】
前記光ボックスから放出された光を、複数個の別々の光ビームに分割するための光ビームスプリッターと、
それぞれのデジタルマイクロミラーデバイスが前記複数個の別々の光ビームのうちの単一の光ビームを受ける、複数個のデジタルマイクロミラーデバイスとを更に含み、
前記複数個のデジタルマイクロミラーデバイスのそれぞれは、受光した光ビームが、全体のイメージフレームの別々の部分にのみ対応する映画の画像データを含むように、前記受光した光ビームを操作する、
請求項１乃至３の何れか一項記載のフィルムプリントシステム。
【発明の詳細な説明】
【技術分野】
【０００１】
本発明は、デジタル・ライト・プロセッシング画像表示素子又は有機発光ダイオードと共に使用するためのフィルムプリント技術に関する。
【背景技術】
【０００２】
連続接触フィルムプリントシステムは既知のシステムであり、映画業界で使用されている。その最も単純な形態では、連続接触プリントは、露光を作り出す光源を用いて、生フィルム・ストック（ｓｔｏｃｋ）を原本又はプリントマスターから露光して、像を形成する。そのようなシステムの概略図が図１に表わされており、以下に説明する。フィルムプリントシステム１０がここに示され、生フィルム・ストック１２が第１送りリール１から第１巻取りリール２まで送り込まれる。リール１及び２はそれらに対応するモーターＭ１及びＭ２によって駆動される。リール１とリール２との間で、生フィルム・ストック１２が映画エンコーダーＥ１、そして次にサウンド・エンコーダーＥ２に通される。先ず映画エンコーダーＥ１を参照するに、光ボックス２０として知られる光源が、生フィルム・ストック１２をリール３からリール４へ同時に送られる原本１４に晒すために、プリントヘッド４０に結合される。リール３及び４は、それらに対応するモーターＭ３及びＭ４によって駆動される。光が、光ボックス２０を通過し、プリントヘッド４０を通り抜け、そして原本１４を通り抜けて、効率的にその原本に含まれるイメージ・データを生フィルム・ストック１２に転写し、生フィルム・ストック１２を露光する。その光ボックス２０は、その業界においてよく知られているため、詳しい説明はここでは提供されない。しかし、簡潔に言えば、光ボックス２０は、色分離光学系、カラー・スペクトルを制御するためのゲート、コリメート光学系及びプリントヘッド４０への出力におけるフォーカシング（集光）光学系を含む。そのプリントヘッド４０は、光ボックス２０の出力におけるフォーカシング光学系から折りたたみ式ミラー４２への光を受け、折りたたみ式ミラー４２は入射光を反射し、アナモルフィック光学系４４に通す。その光は次に、アナモルフィック光学系４４からフィルムプリント開口部４６を通り抜け、生フィルム・ストック１２を、原本１４を通して露光する。サウンドが次に、サウンド・エンコーダーＥ２においてフィルム１２にエンコードされ、詳細な説明はここでは提供されていない既知の技術を使用して、エンコードされる。
【０００３】
外国市場で使用される映画の生成では、そのフィルムプリントプロセス中に、サブタイトル（字幕）を適用することが必要である。そのサブタイトルの適用は撮影後の編集の形として知られている。一般的に、フィルムにサブタイトルを追加するには、画像を含む第１の原本及びサブタイトル又はテキストを含む第２の原本が互いに重ね合わせられる。上記で説明された既知のプロセスを使用し、画像及びサブタイトルを単一の生のストックに転写するにあたって、連続接触フィルムプリントシステムは、その２つの原本が同時にリール３及び４上でプリントヘッド４０の上に運ばれるように、構成される。２つの原本が必要なため、撮影後の編集は厄介であり費用がかかる。それに加えて、プリントにおける２つの原本の使用はプリントされたフィルムの最終的な画質の妨げとなる。さらに、上記で説明されたプロセスは、そのフィルムに付けられるサブタイトルの、別の言語のためにそれぞれ繰り返され、時間及び労働のかなりの費用を示す。ネガフィルム１２への画像のプリントを支援するためにＬＣＤ及び／又はＬＣｏＳの使用が企図されているが、これらのデバイスは、低い更新（リフレッシュ）速度（可能性としてプリントプロセスを遅らせる）、より低いコントラスト比を持つ傾向があり、構造が主に電気的である（メンテナンスに高費用がかかる）。従って、サブタイトルのテキストをフィルム１２にプリントするための改善したシステムを開発することが望まれる。
【発明の概要】
【発明が解決しようとする課題】
【０００４】
本発明は、サブタイトル・テキストをフィルムにプリントするための、改善された装置を対象とする。
【課題を解決するための手段】
【０００５】
本発明の１つの目的は、サブタイトルを、そのサブタイトルを含む原本を必要とせずに生フィルム・ストックにプリントするシステム及び方法を提供することである。本発明は、サブタイトルをポジティブ又はマスター・フィルムを通してネガフィルム・ストックに送るためのＤＬＰ（デジタル・ライト・プロセッシング）画像表示素子（イメージャ）を含むフィルムプリントシステムを提供することによって、この目的を満たす。
【０００６】
本発明の別の１つの目的は、サブタイトルを含むオリジナルのマスター・フィルム又は原本を必要とせずに、直接サブタイトルを生フィルム・ストックにプリントするためのシステム及び方法を提供することである。本発明は、映像のイメージ・データ及び任意の選択的なサブタイトルの両方を直接ネガフィルム・ストックに送信するためのＤＬＰ画像表示素子を含むフィルムプリントシステムを提供することによって、この目的を満たす。本発明はさらに、映像イメージ・データ及び任意の選択的なサブタイトルの両方をネガフィルム・ストックに送信するための、ＯＬＥＤデバイスを含むフィルムプリントシステムを、提供することによってこの目的を満たす。
【０００７】
本発明は、少なくとも次の利点を提供する：高い更新速度（プリントプロセスを高速化する）の提供、より高いコントラスト比及び低価格な機械部品（メンテナンス費用を低減する）。
【図面の簡単な説明】
【０００８】
【図１】既知の連続接触フィルムプリントシステムの概略図である。
【図２Ａ】本発明の第１実施形態によるフィルムプリントシステムの概略図である。
【図２Ｂ】図２Ａのフィルムプリントシステムの１部分の拡大された概略図である。
【図３Ａ】図２のフィルムプリントシステムから出力された実例ネガフィルム・フレームの前面図である。
【図３Ｂ】図２のフィルムプリントシステムから出力されたもう１つの実例ネガフィルム・フレームの前面図である。
【図４】本発明の第２実施形態によるプリントシステムの概略図である。
【図５】本発明の第３実施形態によるプリントシステムの概略図である。
【図６】本発明の第４実施形態によるプリントシステムの概略図である。
【図７】本発明の第５実施形態によるプリントシステムの概略図である。
【図８】本発明の第６実施形態によるプリントシステムの概略図である。
【発明を実施するための形態】
【実施例１】
【０００９】
図２Ａは本発明の第１実施形態によるフィルムプリントシステムを表わす。本発明によると、フィルムプリントシステム１００は、実質的に従来のフィルムプリントシステム１０に似ているが、従来技術のプリントヘッド４０がＤＬＰプリントヘッド１０２に取り替えられている。プリントヘッド４０と同様に、プリントヘッド１０２は、光ボックス２０の出力におけるフォーカシング光学系から、受光する。図２Ｂは、プリントヘッド１０２及び光ボックス２０の拡大図を示す。（示されているように、光ボックス２０は既知のデバイスであり、ダイクロイックミラー、反射体、光バルブ又はゲート及び他の光学的部品の使用を通して、赤、緑、青などの付加的なカラー成分の相対的な出力を調節することが可能である。接触プリントに使用される場合、光ボックス２０は通常、高質なフル・スペクトル又は白色光を供給するように調節される。）その光ボックス２０からの出力は、出力レンズ１０４を通り抜け、内面全反射レンズ１０６（ＴＩＲレンズ）の中に方向付けられる。内面全反射レンズ１０６は、光を受け、その受けた光を、デジタル・ライト・プロセッシング画像表示素子（ＤＬＰ画像表示素子）と一般的に呼ばれるデジタル・マイクロミラー・デバイス（ＤＭＤ）に向けて方向付け、最後にその光をＤＬＰ画像表示素子のイメージ・シグナルに従って出力するのに適していると、当技術分野ではよく知られている。代替の実施形態では、ＴＩＲレンズ１０６は対物レンズによって取り替えられてもよい。光は、ＴＩＲレンズ１０６の中へ入ると、適切な「シングル・チップ」ＤＬＰ画像表示素子１０８（約２０００Ｘ１０００の解像度を持つ）の光半導体に反射する。しかし、本発明の代替の実施形態は、実質的にフィルムプリントシステム１００に似ているが、「シングル・チップ」のＤＬＰ画像表示素子ではなく、「３チップ」ＤＬＰ画像表示素子を含んでいてもよい。３チップＤＬＰ画像表示素子を備えることは、最適な性能をもたらし、シングル・チップＤＬＰ画像表示素子の使用によって時々生じるいわゆる「虹効果」及び／又はタイム・シーケンシャル・カラー効果に伴う問題を解消する。
【００１０】
ＤＬＰ画像表示素子はよく知られており、光半導体（図示せず）を含む。その半導体（図示せず）は、ヒンジ取り付けされたマイクロミラーのアレイを含む。そのそれぞれのミラーは、入力シグナルのイメージ（図示せず）の１ピクセルに対応する。その半導体（図示せず）がその入力シグナルに基づいてコントローラーによって駆動される時、それらのミラーは、ＴＩＲレンズ１０６の出力経路の方向又はその出力経路から遠ざかる方向（場合により、光吸収デバイス（図示せず）に向けて）のどちらかの方向に、光を選択的に反射するために、個別に傾けられ、すなわち、オン若しくはオフに切り換えられる。切り換えられたミラー群から反射されたピクセルのアレイが、表示コントローラーからの入力シグナルに対応する投影光のマトリックスを形成する。本発明の表示コントローラー（図示せず）は、それらのミラーに光を反射するように指示して、光マトリックスが、ＴＩＲレンズ１０６からのサブタイトルを伝送する適切なピクセルの組み合わせを、図１のアナモルフィック光学系４４の代わりであるテレセントリック光学系１１０の中へ送り込むようにする。その光マトリックスの選択的な色付けを提供するために、周知のように、白色光がＤＬＰ画像表示素子のミラーに達する前に、いわゆるカラー・ホイール・フィルターの中へ通され、赤、緑及び青色の光がミラーに順次に照射されるようにする。ミラーの切換え及びそれらが「オン」又は「オフ」である時間の割合は、人間の視覚システムが順次的なカラーを統合し、フルカラーのイメージを見るように、ミラーに照射されるカラーに従って調節される。必要な色調整は全て、表示コントローラーからの入力シグナル内に本質的に存在する。
【００１１】
テレセントリック光学系１１０は投影光マトリックスをフィルムプリント開口部４６の中に向かわせ、ポジティブ・フィルム（又はマスター・フィルム）１４を通って、生フィルム・ストック１２（ネガフィルム）に重なる方向に向かわせ、ネガフィルムがマスター・フィルムのコンテンツ及びサブタイトルを含むように、効果的にその生フィルム・ストックを露光する。
【００１２】
図３Ａ及び図３Ｂを参照すると、このプロセスの結果が、新しく露光されたネガフィルム１２のフレーム１１４上のサブタイトル・テキスト１１２の外見である。そのテキスト１１２は、入力シグナルに対応し、トゥームストーン１１６（テキストを囲む境界線）を含んで書くか（図３Ｂ参照）又はトゥームストーン１１６を含まないで書く（図３Ａ参照）ことができる。当然のことながら、本発明の代替の実施形態は、単純なサブタイトル以外のグラフィックコンテンツを含む表示コントローラーからの入力シグナルを含んでもよい。例えば、その入力シグナルは、表示コントローラーがＤＬＰ画像表示素子に送り込むことが可能な、スクロールするクレジット表示、タイトル、又は他の如何なる形若しくはしるしを含んでよい。
【実施例２】
【００１３】
図４を参照すると、本発明の第２実施形態によるフィルムプリントシステムが示されている。上記で説明されたフィルムプリントシステムの単一のＤＬＰ画像表示素子１０８（約２０００Ｘ１０００の解像度を持つ）は、許容可能なサブタイトルを作成するには十分であるが、ＤＬＰ画像表示素子１０８の解像度は、許容可能な映画用イメージをイメージ・フレーム全体上に生成するには、十分ではない。フィルムプリントシステム２００は実質的にフィルムプリントシステム１００に似ているが、２、３の主な相違点を持つ。第１の相違点は、フィルムプリントシステムのシングル・チップＤＬＰ画像表示素子２０２が、ＤＬＰ画像表示素子１０８よりも高い解像度を持つことである。さらに具体的に、ＤＬＰ画像表示素子２０２は約４０００Ｘ２０００（市販ではまだ不可）の解像度を持ち、それは、ポジティブ・フィルム（又はマスター・フィルム）上に含まれた映画用イメージを正確に再生成するには適切な解像度と考えられる。この増加した解像度によって、そのフィルムプリントシステム１００に属するプリントプロセスが単純化され得る。つまり、フィルムプリントシステム２００は、映画イメージ及び選択的なサブタイトル（又は他の如何なるグラフィック）を、ポジティブ又はマスター・フィルム１４を使用せずに直接ネガフィルム１２にプリントすることを提供する。ポジティブ又はマスター・フィルム１４はシステム２００に使用されていないため、リール３、４及びモーターＭ３、Ｍ４の必要は従って無く、従ってそれらは図４に表わされていない。フィルムプリントシステム２００の操作は、フィルムプリントシステム１００の操作と似ているが、フィルムプリントシステム２００ではポジティブ又はマスター・フィルムは使用されない。代わりに、ＤＬＰ画像表示素子２０２の表示コントローラー（図示せず）によってＤＬＰ画像表示素子２０２のミラー（図示せず）に送信されるＤＬＰ画像表示素子２０２の入力シグナルが、映画イメージと何らかのサブタイトル及び／又は他のオプショナル・グラフィックとの両方に関連する全てのイメージ・データを含む。当然のことながら、本発明の代替の実施形態は、実質的にフィルムプリントシステム２００に似ているが、「シングル・チップ」ＤＬＰ画像表示素子ではなく「３チップ」ＤＬＰ画像表示素子を含んでいてもよい。３チップＤＬＰ画像表示素子を備えることは、最適な性能を提供し、シングル・チップＤＬＰ画像表示素子の使用によって時々生じるいわゆる「虹効果」及び／又はタイム・シーケンシャル・カラー効果に伴う問題を解消する。
【実施例３】
【００１４】
図５を参照すると、本発明の第３実施形態によるフィルムプリントシステムが示されている。約２０００Ｘ１０００の解像度を持つＤＬＰ画像表示素子は、映画用イメージ・データのフレーム全体をネガフィルム・フレームに正確に再生成するには不十分であると現在考えられており、従って、約２０００Ｘ１０００の解像度を持つＤＬＰ画像表示素子が、ポジティブ又はマスター・フィルムを使用せずにネガフィルム・フレームに直接プリントするのに許容される手段として使用されることは行われていない。しかし、フィルムプリントシステム３００は、有利なことに、複数個の市販のＤＬＰ画像表示素子（約２０００Ｘ１０００の解像度を持つ）を使用することで、ポジティブ又はマスター・フィルムを使用せずにＤＬＰ画像表示素子から発せられているイメージでネガフィルム・フレームが露光されるフィルムプリントシステム２００と似た結果を達成する。これを達成するために、ターゲットのネガフィルム３０４のフレーム３０２全体が４つの領域に分割され、上部の左側の領域３０６、下部の左側の領域３０８、上部の右側の領域３１０及び下部の右側の領域３１２に分けられる。領域３０６はＤＬＰ画像表示素子３１４によって直接プリントされ、領域３０８はＤＬＰ画像表示素子３１６によって直接プリントされ、領域３１０はＤＬＰ画像表示素子３１８によって直接プリントされ、領域３１２はＤＬＰ画像表示素子３２０によって直接プリントされることになっている。それぞれのＤＬＰ画像表示素子３１４、３１６、３１８及び３２０は、実質的にＤＬＰ画像表示素子１０８に似ているが、それぞれのＤＬＰ画像表示素子３１４、３１６、３１８及び３２０がカラー・ホイール・フィルターを持つ代わりに、単一のカラー・ホイール・フィルター３２２が使用される。操作では、白色光又はフルカラー・スペクトル光が光源３２４から発せられ、場合により楕円型反射器３２５からのガイドで、回転しているカラー・ホイール・フィルター３２２の中へ方向づけられる。それぞれのＤＬＰ画像表示素子３１４、３１６、３１８及び３２０に光を供給する必要があることから、その回転しているカラー・ホイール・フィルター３２２は、光ビーム分割プリズムの使用を通して、４つの光チャネルに分割される（理想的には強度及びカラーに等しい）。第１光ビーム分割プリズム３２６が元の光ビーム３２８を２つの新しい光ビーム３３０及び３３２に分割する。光ビーム３３０は、プリズム３２６から第２光ビーム分割プリズム３３４に方向づけられ、光ビーム３３６及び３３８が発生する。光ビーム３３２はプリズム３２６から第３光ビーム分割プリズム３４０の中へ向けられ、光ビーム３４２及び３４４が発生する。光ビーム３３６、３３８、３４２及び３４４は、光ファイバー３４６の中へ向けられ、ＤＬＰ画像表示素子３１４、３１６、３１８及び３２０のそれぞれに属するＴＩＲレンズ３４８へ届けられる。ＴＩＲレンズ３４８は、ファイバー３４６からの光をＤＬＰ画像表示素子３１４、３１６、３１８及び３２０へ届けることに関して、実質的にＴＩＲレンズ１０６と同じ様式で動作する。しかし、ＴＩＲレンズ３４８は、（ＤＬＰ画像表示素子３１４、３１６、３１８及び３２０に変更された）４つの光ビーム３３６、３３８、３４２及び３４４（又は光チャネル）をテレセントリック光学系の中へ送るように、それらの出力を反射プリズム３５０及び光学ブロック３５２の配置へ向けるように設置されている。テレセントリック光学系３５４が最終的に、光ビーム３３６、３３８、３４２及び３４４をターゲット・ネガフィルム３０４のフレーム３０２全体の領域３０６、３０８、３１０及び３１２にそれぞれ向ける。もちろん、ＤＬＰ画像表示素子３１４、３１６、３１８及び３２０の表示コントローラーから、関連するＤＬＰ画像表示素子のミラーへ送られる入力シグナルは、フレーム３０２のうちの関連付けられた領域内にプリントされることが望まれるイメージを作成するために必要なデータのみを含む。代替の実施形態において、テレセントリック光学系３５４は、投影光学システムに取り替えられ、その結果生じる出力は、反射式スクリーン又は他の表面上に投影されたイメージであってもよく、その投影されたイメージにおいてサブタイトル及び／又は他のグラフィックをリアル・タイムで重ね合わせることを可能にする。当然のことながら、本発明の他の実施形態では、さらに多くの又は少ないＤＬＰ画像表示素子が、より高い又はより低い総フィルム・フレーム解像度をそれぞれ達成するように組み込まれ得る。
【実施例４】
【００１５】
図６を参照すると、本発明の第４実施形態によるフィルムプリントシステムが示されている。フィルムプリントシステム４００は、実質的にフィルムプリントシステム２００に似ているが、２、３の相違点を持つ。まず第１に、フィルムプリントシステム４００は、ＤＬＰ画像表示素子１０８などのＤＬＰ画像表示素子ではなく、有機発光ダイオード表示デバイス４０２（ＯＬＥＤ）を、サブタイトル及び／又は映画用イメージ・データを生成するための手段として組み込む。第２に、ＯＬＥＤデバイスは本質的に能動的に照明を発するため、ＤＬＰ画像表示素子において必要とされたような、後続のフィルタリング及び反射を白色光に提供するための光ボックス２０を必要としない。ポジティブ又はマスター・フィルム１４がシステム４００に使用されていないことから、リール３、４及びモーターＭ３、Ｍ４は必要でなく、従って、図６に表わされていない。最後に、ＯＬＥＤデバイス４０３はフィルムプリント開口部４６から実質的に一定の距離から光を放射することが可能であることから、費用が高くサイズがかなり大きい例えばテレセントリック光学系３５４などのテレセントリック光学系は必要でない。
【実施例５】
【００１６】
図７を参照すると、本発明の第５実施形態によるフィルムプリントシステムが示されている。フィルムプリントシステム５００は実質的にフィルムプリントシステム４００に似ているが、２、３の相違点を持つ。フィルムプリントシステム５００では、ＯＬＥＤデバイス５０２に、フレーム・イメージ全体をネガティブ１２の上に表示し投影するために必要なデータが、サウンド情報を含めて提供される。この場合、ＯＬＥＤデバイス５０２が単体で、完成したネガ１２を生成するために必要なネガ１２のコンテンツを全て光学的にトランスファーすることができる。さらに、ここではサウンドがネガにＯＬＥＤデバイス５０２によってトランスファーされることから、離れて位置するサウンド・エンコーダーＥ２の必要がなく、むしろ、ＯＬＥＤデバイス５０２が、画像エンコーダーＥ１及びサウンド・エンコーダーＥ２の両方の役目を果たす。従って、リール５、６及びモーターＭ５、Ｍ６の必要が無いことから、それらは図７に表わされていない。サウンド及びビデオを同時にプリントする主な利点は、サウンド及びビデオの同期化が達成されることである。
【実施例６】
【００１７】
図８を参照すると、本発明の第６実施形態によるフィルムプリントシステムが表わされている。フィルムプリントシステム６００は実質的にフィルムプリントシステム５００に似ているが、２、３の相違点を持つ。フィルムプリントシステム６００では、３チップＤＬＰ画像表示素子６０２（ＯＬＥＤデバイス５０２の代わり）に、全フレーム・イメージをネガティブ１２上に表示し投影するのに必要なデータが、サウンド情報を含めて提供される。この場合、ＤＬＰ画像表示素子６０２が単体で、完成したネガ１２を生成するために必要なネガ１２のコンテンツを全て光学的にトランスファーすることができる。さらに、ここではサウンドがＤＬＰ画像表示素子６０２によってネガにトランスファーされることから、離れて位置するサウンド・エンコーダーＥ２の必要がなく、むしろ、ＯＬＥＤデバイス６０２が、画像エンコーダーＥ１及びサウンド・エンコーダーＥ２の両方の役目を果たす。従って、リール５、６及びモーターＭ５、Ｍ６の必要が無いことから、それらは図８に表わされていない。システム６００とシステム５００との間のもう１つの相違点は、ＤＬＰ画像表示素子が使用されていることから、光ボックス２０が必要にることであり、従ってそれが図８に表わされている。サウンド及びビデオを同時にプリントする主な利点は、サウンド及びビデオの同期化が達成されることである。
【００１８】
上記は本発明を実施するための可能な形態のいくつかだけを示している。多くの他の実施形態が、本発明の範囲及び精神内で可能である。それは、従って、上記の説明が限定的であるよりも、むしろ例示的として考えられ、本発明の範囲は、添付された請求項及びそれらの全ての均等物によって与えられる。
【符号の説明】
【００１９】
１…リール
２…リール
３…リール
４…リール
５…リール
６…リール
Ｅ１…映画エンコーダー
Ｅ２…サウンド・エンコーダー
Ｍ１…モーター
Ｍ２…モーター
Ｍ３…モーター
Ｍ４…モーター
Ｍ４…モーター
Ｍ５…モーター
Ｍ６…モーター
１０…従来のフィルムプリントシステム
１２…ネガフィルム
１４…ポジティブ（マスター）フィルム
２０…光ボックス
４０…プリントヘッド
４２…折たたみ式ミラー
４４…アナモルフィック光学系
４６…フィルムプリント開口部
１００…フィルムプリントシステム
１０２…プリントヘッド
１０４…出力レンズ
１０６…内面全反射（ＴＩＲ）レンズ
１０８…ＤＬＰ画像表示素子
１１０…テレセントリック光学系
１１２…サブタイトル・テキスト
１１４…フレーム
１１６…トゥームストーン
２００…フィルムプリントシステム
２０２…シングル・チップＤＬＰ画像表示素子
３００…フィルムプリントシステム
３０２…フレーム全体
３０４…ターゲット・ネガフィルム
３０６…上部左側の領域
３０８…下部左側の領域
３１０…上部右側の領域
３１２…下部右側の領域
３１４…ＤＬＰ画像表示素子
３１６…ＤＬＰ画像表示素子
３１８…ＤＬＰ画像表示素子
３２０…ＤＬＰ画像表示素子
３２２…カラー・ホイール・フィルター
３２４…光源
３２６…第１光ビーム分割プリズム
３２８…オリジナルの光ビーム
３３０…光ビーム
３３２…光ビーム
３３４…第２光ビーム分割プリズム
３３６…光ビーム
３３８…光ビーム
３４２…光ビーム
３４４…光ビーム
３４６…光ファイバー
３４８…ＴＩＲレンズ
３５０…反射式プリズム
３５４…テレセントリック光学系
４００…フィルムプリントシステム
４０２…有機発光ダイオード（ＯＬＥＤ）
５００…フィルムプリントシステム
５０２…ＯＬＥＤデバイス
６００…フィルムプリントシステム
６０２…ＤＬＰ画像表示素子
【図１】
0005623748.tif 000002
【図２Ａ】
0005623748.tif 000003
【図２Ｂ】
0005623748.tif 000004
【図３Ａ】
0005623748.tif 000005
【図３Ｂ】
0005623748.tif 000006
【図４】
0005623748.tif 000007
【図５】
0005623748.tif 000008
【図６】
0005623748.tif 000009
【図７】
0005623748.tif 000010
【図８】
0005623748.tif 000011